(57)【特許請求の範囲】
【請求項１】
蓋側ケースを底側ケースに取り付ける構成の基板ケースであって、内部に制御基板を収納する基板ケースを備え、
前記基板ケースは、前記蓋側ケースと前記底側ケースとを開放不能に封止する封止部であって、当該基板ケースから切除可能な封止部を備えている遊技機において、
前記封止部は、前記蓋側ケースと前記底側ケースとの封止を解除する際に切断される２つ以上の切断部を介して前記基板ケースに設けられ、
固有の識別情報を記憶するチップ部と、該チップ部に記憶されている識別情報を送信可能なアンテナ部とを有するＩＣタグを備え、
前記ＩＣタグは、前記切断部のうち一の切断部に、前記アンテナ部の一端側部を位置させ、かつ、前記切断部のうち前記一の切断部とは異なる他の切断部に、前記チップ部を挟んで前記アンテナ部の一端側部とは反対側に配置された前記アンテナ部の他端側部を位置させ、
前記封止部を前記基板ケースから切除するとき、前記識別情報を送信不能に破断されるように、前記封止部近傍に貼付されていることを特徴とする遊技機。
【請求項２】
前記基板ケースは、前記ＩＣタグを剥がれ不能に覆うカバー部を備え、
前記カバー部は、前記ＩＣタグを覆った状態において、前記封止部の切除を規制する規制部を備え、
前記規制部は、前記ＩＣタグが前記切断部を覆うように前記封止部近傍に貼付された状態において前記切断部の位置を示すとともに、前記切断部と共に切断可能とされていることを特徴とする請求項１に記載の遊技機。
【請求項３】
前記カバー部は、前記ＩＣタグを覆った状態において、前記蓋側ケース又は前記底側ケースのうちいずれか一方に対して離脱不能に係着されることを特徴とする請求項２に記載の遊技機。
【発明の詳細な説明】
【技術分野】
【０００１】
本発明は、遊技機、特に、制御基板等の基板を収納する基板ケースを有したパチンコ遊技機やスロットマシン等の遊技機に関する。
【背景技術】
【０００２】
従来から、パチンコ遊技機等に取着されて制御基板等の基板を収納する基板ケースとして、不正をする目的で基板ケースが開放されるのを防止するために、蓋側ケース部を底側ケース部に取り付けた後、基板ケースの左端又は右端に設けられたカシメ構造によって基板ケースを開放不能に封止し、さらに、両ケース部に跨るように、ＩＣタグを貼付するものが知られている。
【０００３】
例えば、下記特許文献１には、右端に設けられたカシメ構造をカバー部材で覆い、このカバー部材の表面に、ＩＣタグを貼付する基板ケースが記載されている。この基板ケースでは、必ず、カバー部材を外せばＩＣタグが読み取り不能に破断されるので、ＩＣタグを読み取り不能としなければ、カシメ構造を切断等して基板ケースを開放することができないようになっていた。
【先行技術文献】
【特許文献】
【０００４】
【特許文献１】特開２００９−１７２２２４号公報
【発明の概要】
【発明が解決しようとする課題】
【０００５】
しかしながら、上記基板ケースは、カシメ構造とＩＣタグにより高い不正防止効果（基板ケースの封止性と不正開放時の痕跡性）を発揮しているものの、基板ケースを開放する場合には、まず、カバー部材を外し（このときにＩＣタグは破断される）、その後に、カシメ構造を切断する必要があり、基板ケース開放までの作業工程が多かった。そのため、基板ケースを開放して制御基板を正式に検査する際、その検査のし易さに課題があった。
【０００６】
そこで本発明では、上記事情に鑑み、カシメ構造とＩＣタグによる不正防止効果はそのままに、検査をし易くした遊技機を提供することを目的とする。
【課題を解決するための手段】
【０００７】
本発明の遊技機は、蓋側ケースを底側ケースに取り付ける構成の基板ケースであって、内部に制御基板を収納する基板ケースを備え、前記基板ケースは、前記蓋側ケースと前記底側ケースとを開放不能に封止する封止部であって、当該基板ケースから切除可能な封止部を備えている遊技機において、前記封止部は、前記蓋側ケースと前記底側ケースとの封止を解除する際に切断される２つ以上の切断部を介して前記基板ケースに設けられ、固有の識別情報を記憶するチップ部と、該チップ部に記憶されている識別情報を送信可能なアンテナ部とを有するＩＣタグを備え、前記ＩＣタグは、前記切断部のうち一の切断部に、前記アンテナ部の一端側部を位置させ、かつ、前記切断部のうち前記一の切断部とは異なる他の切断部に、前記チップ部を挟んで前記アンテナ部の一端側部とは反対側に配置された前記アンテナ部の他端側部を位置させ、前記封止部を前記基板ケースから切除するとき、前記識別情報を送信不能に破断されるように、前記封止部近傍に貼付されていることを特徴とする。
【００１０】
さらに、前記基板ケースは、前記ＩＣタグを剥がれ不能に覆うカバー部を備え、前記カバー部は、前記ＩＣタグを覆った状態において、前記封止部の切除を規制する規制部を備え、前記規制部は、前記ＩＣタグが前記切断部を覆うように前記封止部近傍に貼付された状態において前記切断部の位置を示すとともに、前記切断部と共に切断可能とされている構成とすることが望ましい。
【００１１】
また、前記カバー部は、前記ＩＣタグを覆った状態において、前記蓋側ケース又は前記底側ケースのうちいずれか一方に対して離脱不能に係着されるよう構成することが望ましい。
【発明の効果】
【００１２】
本発明によれば、封止部を基板ケースから切除すれば、ＩＣタグが確実に読み取り不能（識別情報を送信不能）となるとともに、基板ケースが開放可能となる。よって、ＩＣタグと封止部による不正防止効果（開放時の痕跡性）はそのままとしながら、基板ケースを開放するために必要な作業を簡単化することができる。
【図面の簡単な説明】
【００１３】
【図１】本発明の第１実施形態の遊技機の背面側を示す概略図である。
【図２】同遊技機が備える基板ケースを示す概略斜視図である。
【図３】同遊技機が備える基板ケースの概略分解斜視図である。
【図４】同遊技機が備える基板ケースの端面図であり、図２のIV‐IV部位に対応する。
【図５】同遊技機が備える基板ケースを閉じる作業を説明する概略部分断面図であり、図４のＶ部位付近を示す。
【図６】同遊技機が備える基板ケースを閉じた後、封止部により蓋側ケースと底側ケースとを封止する作業を示す概略断面図である。
【図７】同遊技機が備える基板ケースに貼付されるＩＣタグを示す図である。
【図８】同遊技機が備える基板ケースの封止後において、ＩＣタグを貼付した状態を示す概略要部斜視図である。
【図９】同遊技機が備える基板ケースにＩＣタグを貼付した後、ＩＣタグカバーを係着させた状態を示す概略要部斜視図である。
【図１０】同パチンコ遊技機が備える基板ケースから蓋側封止部を取り外す動作を示す概略要部斜視図である。
【図１１】本発明の第２実施形態の遊技機が備える基板ケースを示す概略要部斜視図である。
【図１２】第２実施形態の遊技機が備える基板ケースにおいて、（Ａ）基板ケースを封止した後ＩＣタグを貼付した状態を示す平面図、（Ｂ）基板ケースにＩＣタグを貼付した後ＩＣタグカバーを係着させた状態を示す平面図である。
【図１３】第２実施形態の遊技機が備える基板ケースにおけるＩＣタグカバーの係着状態を示す端面図であり、図１１のXIII‐XIII部位に対応する。
【発明を実施するための形態】
【００１４】
１．第１実施形態
図１に示すように、第１実施形態の遊技機は、パチンコ遊技機１であって、遊技盤２の裏面２ａ側に、主制御基板（遊技制御基板）５を覆った基板ケース１０が配設されている。なお、本明細書中、上下方向および左右方向は、図１に示す遊技盤２の裏面２ａ側を基準とし、また、前後方向は、遊技盤２の裏面２ａ側を後方とし、遊技盤２の前面側を前方とする。
【００１５】
基板ケース１０は、透明なポリカーボネート等の合成樹脂から形成されており、上縁１０ａに断面Ｕ字状の取付フック１１が設けられ、この取付フック１１を、盤裏カバー３に配設された二本の取付軸４，４に対して下方側から引っ掛け、下縁１０ｂ側を、後方側に移動しないように押え爪片（図示せず）に係止させている。なお、この基板ケース１０は、図示しない押え爪片の係止を解除して下縁１０ｂ側を後方に引けば、取付軸４回りに後方回転させることができ、主制御基板５の裏面を確認することができる。また、基板ケース１０は、盤裏カバー３に対して右方へスライドさせることにより盤裏カバー３から取り外すことができ、基板ケース１０を開放すれば主制御基板５を詳しく検査することができる。
【００１６】
また、基板ケース１０は、上縁１０ａ側に貫通孔１２を有し、この貫通孔１２に、主制御基板５に設けられたターミナル部６を配設させている。ターミナル部６は、主制御基板５に各種のリード線を結線させるもので、盤裏カバー３に取り付けられた盤裏カバー蓋３ａの下部に覆われている。また、基板ケース１０は、左縁１０ｃ側に、他のターミナル部６を配設させる貫通孔１３や、ＲＡＭ消去スイッチを配設させる貫通孔１４を備えている。
【００１７】
図２に示すように、基板ケース１０は、前方側の底側ケース２０と後方側の蓋側ケース３０とを備えて略箱形状に構成されるとともに、右縁１０ｄ側に、封止部４０、ＩＣタグ６０、及びＩＣタグカバー（カバー部に相当する）７０を備えて構成されている。この基板ケース１０は、底側ケース２０と蓋側ケース３０との間に主制御基板５を収納して、後述するように第１の係合手段１５及び第２の係合手段１６を係合させることにより閉塞され、後述するように封止部４０を利用して開放不能に封止されている。また、封止部４０の後面にはＩＣタグ６０が貼付されており、ＩＣタグ６０は、基板ケース１０から剥がされないようＩＣタグカバー７０により覆われている。
【００１８】
なお、基板ケース１０に収納される主制御基板５は、大当たり抽選（即ち、大当たり乱数の取得とその大当たり乱数を用いた判定）や遊技状態の移行など主に利益に関わる制御を行うものである。大当たり抽選は、遊技球の始動口への入賞に対して行われる。主制御基板５には、始動口に入賞した遊技球を検知する始動口スイッチ、大当たり遊技中に大入賞口を開口させる大入賞口ソレノイド、大入賞口に入賞した遊技球を検知する大入賞口スイッチなどが接続される。この主制御基板５は、図４に示すように、裏面５ａ（実装面５ｂの反対側の面）を底側ケース２０側に向けて、蓋側ケース３０に固定されている。
【００１９】
図３に示すように、底側ケース２０は、略長方形板状の底壁部２２を有し、底壁部２２の周縁からは、略筒形状の側壁部２３が延設されている。側壁部２３は、上壁部２４、下壁部２５、左壁部２６、右壁部２７を有して構成されている。
【００２０】
また、図３に示すように、蓋側ケース３０は、略長方形板状の天井壁部３２を有し、天井壁部３２の周縁から、略筒形状の側壁部３３が延設されている。側壁部３３は、上壁部３４、下壁部３５、左壁部３６、右壁部３７を有して構成されている。なお、基板ケース１０の閉塞状態では、天井壁部３２は、底壁部２２と前後方向で略平行に対向し、また、側壁部３３は、側壁部２３に接近する。
【００２１】
両上壁部２４，３４及び両下壁部２５，３５には、図２及び図３に示すように、第１の係合手段１５及び第２の係合手段１６が形成されている。
【００２２】
第１の係合手段１５は、図２〜４に示すように、両上壁部２４，３４及び両下壁部２５，３５に、それぞれ、三箇所ずつ形成されている。具体的には、底側ケース２０の上壁部２４と下壁部２５に、Ｌ字状の挿入溝１５ｂを有した係止フック部１５ａが形成され、蓋側ケース３０の上壁部３４と下壁部３５に、係止ピン１５ｃが形成されている。
【００２３】
ここで、基板ケース１０の閉塞について説明すれば、基板ケース１０の閉塞は、図４に示すように、蓋側ケース３０を底側ケース２０に対して嵌め合わせ、係合方向（右方向）へスライドさせることにより行われる。このとき、第１の係合手段は、図５のＡ〜Ｃに示すように、係止ピン１５ｃを、挿入溝１５ｂに挿入させて係止フック部１５ａに係止させることにより係合する。なお、実施形態では、図５のＡに示す状態、すなわち、蓋側ケース３０が底側ケース２０と分離している状態を、基板ケース１０の分離状態といい、図５のＢに示す状態、すなわち、蓋側ケース３０の係止ピン１５ｃを底側ケース２０の挿入溝１５ｂ内に挿入させた状態を、基板ケース１０の係合開始状態といい、図５のＣに示す状態、すなわち、係合開始状態から蓋側ケース３０を係合方向（右方向）にスライドさせて、係止ピン１５ｃを係止フック部１５ａに係止させた状態を、基板ケース１０の係合完了状態という。
【００２４】
第２の係合手段１６は、図２〜４に示すように、底側ケース２０の上壁部２４及び下壁部２５に形成された凸形状の嵌合部１６ａと、蓋側ケース３０の上壁部３４及び下壁部３５に形成された凹形状の嵌合部１６ｂとで構成され、基板ケース１０が係合開始状態から係合完了状態となる際に、両嵌合部１６ａ，１６ｂが相互に嵌合して、蓋側ケース３０の係合解除方向（左方向）への移動が規制されるように構成されている。なお、これらの嵌合部１６ａ，１６ｂは、強い力で蓋側ケース３０を係合解除方向へ移動させれば、嵌合の解除が可能である。
【００２５】
封止部４０は、図３及び図６に示すように、蓋側ケース３０に配設される蓋側封止部４２と、底側ケース２０に配設される底側封止部５２とを備え、両封止部４２，５２を相互に締結することにより、蓋側ケース３０を底側ケース２０に対して開き不能に封止するものである。
【００２６】
蓋側封止部４２は、ホルダ部４３と、ロックピン４８とを備え、図３に示すように、蓋側ケース３０の右縁側に設けられた略長方形筒形状の蓋側収納部３８内に配設されている。
【００２７】
ホルダ部４３は、図３に示すように、略円筒形状に形成され、蓋側収納部３８の上壁部３８ａと、蓋側収納部３８の下壁部３８ｂとに対して、外周面４３ｂから板状の連結片部（切断部に相当する）４５，４６を伸ばして、蓋側ケース３０に連結支持されている。
【００２８】
また、ホルダ部４３には、図６に示すように、ロックピン４８が嵌挿される嵌挿孔４４が形成されている。嵌挿孔４４は、ホルダ部４３を前後方向に貫通して形成されており、後方側から順に、六角柱穴状の大径部４４ａと、大径部４４ａより小径の円柱穴状の中径部４４ｂと、中径部４４ｂより小径の円柱穴状の小径部４４ｃとにより構成され、小径部４４ｃには、後述するロックピン４８の軸部４９ｂが嵌挿される。
【００２９】
ロックピン４８は、図６に示すように、金属製とされ、ピン本体４９と支持リング５０とを備えている。ピン本体４９は、後端側の円板状の頭部４９ａと、頭部４９ａから前方に延びる小径円柱状の軸部４９ｂとを備えている。軸部４９ｂは、外径寸法ｄを嵌挿孔４４の小径部４４ｃの内径寸法Ｄと略等しくして形成されており、ロックピン４８は、ホルダ部４３に摺動可能に保持されている。軸部４９ｂの先端部４９ｃには、環状溝４９ｄが設けられて、円板状の支持リング５０が嵌められている。
【００３０】
支持リング５０は、基板ケース１０を封止する際、ホルダ部４３と後述する底側封止部５２の嵌合部５３との間で位置規制されて、内周縁を軸部４９ｂの外周面に食い込ませ、ロックピン４８が引き抜かれるのを規制する。
【００３１】
底側封止部５２は、図６に示すように、ロックピン４８が嵌挿される嵌合部５３を備え、図３に示すように、底側ケース２０の右縁側に設けられた略長方形筒形状の底側収納部２８内に配設されている。
【００３２】
嵌合部５３は、ホルダ部４３の形状にあわせて略円筒形状に形成され、図６に示すように、後方側だけに開口して前方側に延びる嵌合孔５４を備えている。嵌合孔５４は、ピン本体４９の先端部４９ｃ側を圧入可能な小径部５４ｂと、小径部５４ｂの開口周縁に配設されて、支持リング５０を収納可能な大径部５４ａとを備えている。
【００３３】
また、嵌合部５３は、図３及び図６に示すように、底側収納部２８の右壁部２８ａ（底側ケース２０の右壁部２７と共用）と、底側収納部２８の左壁部２８ｂとに対して、外周面５３ａから連結片部５５，５５を伸ばすとともに、底側収納部２８に対して天板部５６を伸ばして、底側ケース２０に連結支持されている。
【００３４】
ここで、基板ケース１０の封止について説明すれば、基板ケース１０の封止は、図６のＡ，Ｂに示すように、ロックピン４８を、ホルダ部４３から嵌合部５３に跨がるように押し込んでかしめ、軸部４９ｂを、ホルダ部４３の小径部４４ｃと嵌合部５３の小径部５４ｂとに跨がるように配置して、蓋側封止部４２と底側封止部５２とを締結することにより行われる。これにより、蓋側ケース３０の係合解除方向へのスライドが規制され、基板ケース１０は開放不能に封止される。
【００３５】
なお、ホルダ部４３の嵌挿孔４４には、基板ケース１０の封止後にロックピン４８を引き抜くことができないように、後方からキャップ５７が外れ不能に嵌入される。これにより、蓋側封止部４２を破壊等して基板ケース１０の封止を解除しない限り、基板ケース１０を開放することは不可能とされる。
【００３６】
ＩＣタグ６０は、図７に示すように、ベースシール６１にチップ部６２とアンテナ部６３とを設けて構成されている。ベースシール６１は、表面が「開封禁止」と印字された装飾面６１ａとされ、裏面が粘着面６１ｂとされている。ベースシール６１には、図示しない多数のスリットや薄肉部が設けられており、小さい応力で破れるよう構成されている。
【００３７】
ベースシール６１における粘着面６１ｂには、識別情報が格納されたチップ部６２とチップ部６２から相互に逆方向に延びる長尺状のアンテナ部６３が配置されている。チップ部６２の識別情報は、アンテナ部６３から発信可能とされ、ＩＣタグリーダにより受信して読み取ることができる。
【００３８】
ＩＣタグ６０は、図８に示すように、蓋側収納部３８の後面３８ｅに貼付される。詳しくは、ＩＣタグ６０は、図８に示すように、ホルダ部４３の後面４３ａにチップ部６２を位置させ、下方側の連結片部４５の後面４５ａにアンテナ部６３の一端側部６３ａを位置させ、上方側の連結片部４６の後面４６ａにチップ部６２を挟んでアンテナ部６３の一端側部６３ａと反対となる他端側部６３ｂを位置させて、蓋側収納部３８の後面３８ｅに、周縁部６０ａがかかるように貼付されている。
【００３９】
図３及び図８，９に示すように、蓋側ケース３０の天井壁部３２には、ＩＣタグ６０を剥がれ不能に覆うＩＣタグカバー７０が取り付けられている。ＩＣタグカバー７０は、後壁部７１と右壁部８２とを備えて、下方から見て略Ｌ字形状に構成されている。後壁部７１の左端にはヒンジ機構７２が形成されており、ＩＣタグカバー７０は、このヒンジ機構７２により、蓋側ケース３０の天井壁部３２に対して回動可能に取り付けられている。詳述すれば、ＩＣタグカバー７０は、後壁部７１の左端に設けられた上下方向に沿う回転軸７２を、天井壁部３２に設けられた２つの挿通部３２ａ，３２ａに挿通させて天井壁部３２に取り付けられており、この回転軸７２を中心に回動可能となっている。
【００４０】
後壁部７１は、図８，９に示すように、ＩＣタグカバー７０を閉めた状態（図９に示す状態）において、後方から見て、蓋側封止部４２の後面の形状に合わせて肉抜きされている。すなわち、後壁部７１は、ＩＣタグカバー７０を閉めた状態において、ホルダ部４３の後面４３ａ、連結片部４５，４６の後面４５ａ，４６ａ、及び蓋側収納部３８の後面３８ｅと、前後方向において重なる部位のみを肉部７４として有し、蓋側封止部４２において肉抜きされていた部位と前後方向において重なる部位を肉抜き部７５として切り欠いて構成されている。なお、ＩＣタグカバー７０を閉じた状態おいて、肉抜き部７５からは、ＩＣタグ６０の装飾面６１ａの一部が視認される。
【００４１】
肉部７４は、ＩＣタグカバー７０の閉じ状態において、ホルダ部４３と前後方向で重なる円盤部７６と、連結片部４５，４６と前後方向で重なる連結部７７，７７と、蓋側収納部３８と前後方向で重なる周壁部７８から構成されている。円盤部７６及び連結部７７，７７は、ＩＣタグ６０が蓋側ケース３０に貼付されているためにホルダ部４３及び連結片部４５，４６が後方から目視できない場合において、ホルダ部４３及び連結片部４５，４６の位置を示す作用を奏する。すなわち、円盤部７６及び連結部７７，７７はホルダ部４３及び連結片部４５，４６と前後方向で重なっていることから、基板ケース１０を開放しようとする者は、円盤部７６及び連結部７７，７７を目安として、ホルダ部４３及び連結片部４５，４６の位置を認識することができる。このように実施形態では、円盤部７６と連結部７７，７７とは、ホルダ部４３及び連結片部４５，４６の位置を示す指標部７９として機能している。そして、後壁部７１の肉抜き部７５からＩＣタグ６０を破りながらニッパなどの破断治具を挿入すれば、連結部７７，７７とともに連結片部４５，４６を切断することができる。周壁部７８は、蓋側収納部３８の後面３８ｅとの間にＩＣタグ６０の周縁部６０ａを挟持する。これにより、ＩＣタグ６０は蓋側ケース３０から剥がれるのを防止される。
【００４２】
右壁部８２は、後壁部７１の右端から前方へ向けて延設されており、前端には、ＩＣタグカバー７０を蓋側ケース３０に対して離脱不能に係着させるための係合片部８３，８３が形成されている。係合片部８３，８３は、図９に示すように、ＩＣタグカバー７０を閉じたとき、蓋側収納部３８の右壁部３８ｃ（蓋側ケース３０の右壁部３７と共用）に設けられた被係合孔部３９，３９に離脱不能に係合する。すなわち、ＩＣタグカバー７０を図８図示矢印ａの方向に回動させて閉じれば、図９に示すように、係合片部８３，８３は撓んで被係合孔部３９，３９に嵌合し、係合片部８３，８３の係止爪部８３ａ，８３ａが蓋側収納部３８の右壁部３８ｃの内周面３８ｆにかかる（図９図示断面図参照）。これにより、係合片部８３，８３は被係合孔部３９，３９から抜け不能となる。このように、ＩＣタグカバー７０は、一旦係合片部８３，８３を被係合孔部３９，３９に係合させると、その係合を解除することができないよう、すなわち、蓋側ケース３０に対して所謂嵌め殺しとなるよう構成されている。なお、ＩＣタグカバー７０を閉めるときに、係合片部８３，８３が被係合孔部３９，３９に係合されるのは、係合片部８３，８３のみならずＩＣタグカバー７０全体が撓むためであり、一方、ＩＣタグカバー７０を外すときに、係合片部８３，８３が被係合孔部３９，３９から外れることができないのは、係合片部８３，８３のみの撓みでは被係合孔部３９，３９との係合を解除可能な量の撓みとはならないためである。
【００４３】
なお、図９に示すように、ＩＣタグカバー７０を閉じた状態では、ＩＣタグカバー７０の円盤部７６と連結部７７とによって蓋側封止部４２も覆われることになる。よって、ＩＣタグカバー７０の円盤部７６と連結部７７とを切除しなければ、蓋側封止部４２の連結片部４５，４６を切断することができないため、基板ケース１０から蓋側封止部４２を切除することができない。このように実施形態では、ＩＣタグカバー７０の円盤部７６と連結部７７とは、蓋側封止部４２の切除を規制する規制部８０として機能している。また、底側封止部５２は、底側収納部２８の内周面から、底壁部２２と略平行となるように延設された天板部５６によって、底側収納部２８に連結されているため、基板ケース１０の前方からは、天板部５６が妨げとなってニッパなどの破断治具を挿入することはできない。よって、実施形態の基板ケース１０では、底側ケース２０側から、蓋側封止部４２を取り除くことはできないようになっている。
【００４４】
次に、基板ケース１０の開放について、図１０に基づいて説明する。主制御基板５が不正な制御基板に変更されていないか検査するために、基板ケース１０を開放する場合、蓋側封止部４２を、蓋側収納部３８から切除して、封止部４０による基板ケース１０の封止を解除する必要がある。
【００４５】
具体的には、基板ケース１０を開放する場合には、ホルダ部４３から延びる二本の連結片部４５，４６を分断して、蓋側封止部４２と蓋側収納部３８との連結を断った後、蓋側封止部４２を取外方向（後方）ＰＵ（図１０参照）へ移動させて、ロックピン４８（図９参照）を嵌合孔５４（図９参照）から引き抜き、蓋側封止部４２を蓋側ケース３０から取り除く。
【００４６】
ここで、蓋側封止部４２の後方には、ＩＣタグ６０が貼付されているとともに、そのさらに後方から、ＩＣタグカバー７０が覆っているため、そのままでは蓋側封止部４２を切除することができない。そのため、連結片部４５，４６を切断する場合には、ＩＣタグカバー７０の後壁部７１の肉抜き部７５から破断治具を挿通し、破断治具がＩＣタグ６０を破り抜けてホルダ部４３から延びる連結片部４５，４６に至るまで破断治具を挿通させて、それぞれの連結部７７，７７における円盤部７６に近い側の２か所を切断するとともに、それぞれの連結片部４５，４６におけるホルダ部４３に近い側の２か所を切断する。そして、切断したホルダ部４３を円盤部７６とともに、後方ＰＵへ引き上げれば、基板ケース１０の封止は解除される。
【００４７】
さらにこのとき、ＩＣタグ６０のアンテナ部６３は、チップ部６２を挟んで２箇所（アンテナ部６３における一端側部６３ａと他端側部６３ｂの二箇所）で切断される。アンテナ部６３を切断してＩＣタグ６０を確実に読み取り不能とするためには、アンテナ部６３を２箇所以上で切断することが必要とされているため、これによりＩＣタグ６０は確実に読み取り不能となる。また、ＩＣタグ６０のチップ部６２は、ホルダ部４３と円盤部７６とに挟持されて一緒に切除される。
【００４８】
このようにして基板ケース１０の封止を解除した後で、蓋側ケース３０を、係合解除方向（図４参照）へスライドさせ、さらに、基板ケース１０が分離状態（図５Ａ参照）となるように移動させれば、基板ケース１０を開放することができる。なお、封止されていた基板ケース１０を一度開放させると、切断された形跡の残る封止部４０と、読み取り不能となったＩＣタグ６０とが、基板ケース１０を開放したことの痕跡として残るため、仮に不正行為による基板ケース１０の開放があった場合には、この痕跡により不正行為があったことを発見することができる。
【００４９】
以上説明したように、第１実施形態のパチンコ遊技機１は、蓋側ケース３０を底側ケース２０に取り付ける構成の基板ケース１０であって、内部に主制御基板５を収納する基板ケース１０を備え、基板ケース１０は、蓋側ケース３０と底側ケース２０とを開放不能に封止する封止部４０であって、基板ケース１０から切除可能な封止部４０を備えている。そして、第１実施形態のパチンコ遊技機１は、固有の識別情報を記憶するチップ部６２と、チップ部６２に記憶されている識別情報を送信可能なアンテナ部６３とを有するＩＣタグ６０を備え、ＩＣタグ６０は、封止部４０（蓋側封止部４２）を基板ケース１０から切除するとき、識別情報を送信不能に破断されるように、封止部４０近傍に貼付されている。
【００５０】
したがって、封止部４０を基板ケース１０から切除すれば、ＩＣタグ６０が確実に読み取り不能（識別情報を送信不能）となるとともに、基板ケース１０が開放可能となる。よって、ＩＣタグ６０と封止部４０による不正防止効果（開放時の痕跡性）を保ちながら、基板ケース１０を開放するために必要な作業を簡単化することができる。
【００５１】
なお、封止部４０の切除とは、基板ケース１０の封止が解除されるのであれば、必ずしも封止部４０全体を切除する必要はなく、一部のみを切除するものも含むものとする。この点、第１実施形態では、封止部４０を構成する蓋側封止部４２及び底側封止部５２のうち、蓋側封止部４２のみを切除することとしている。
【００５２】
また、第１実施形態の遊技機１では、封止部４０は、蓋側ケース３０と底側ケース２０との封止を解除する際に切断される２つの切断部（連結片部４５，４６）を介して基板ケース１０に設けられ、ＩＣタグ６０は、一の切断部（連結片部４５）に、アンテナ部６３の一端側部６３ａを位置させ、かつ、連結片部４５とは異なる他の切断部（連結片部４６）に、チップ部６２を挟んでアンテナ部６３の一端側部６３ａとは反対側に配置されたアンテナ部６３の他端側部６３ｂを位置させて、封止部４０近傍に貼付されている。
【００５３】
したがって、基板ケース１０を開放して不正行為がなされてないかチェックする際には、連結片部４５，４６を切断すれば、封止部４０（蓋側封止部４２）が切除可能となるとともに、ＩＣタグ６０のアンテナ部６３も一緒に切断されるため、ＩＣタグ６０を確実に読み取り不能として、基板ケース１０を開放可能にすることができる。
【００５４】
また、第１実施形態の遊技機１では、基板ケース１０は、ＩＣタグ６０を剥がれ不能に覆うＩＣタグカバー（カバー部）７０を備え、ＩＣタグカバー７０は、ＩＣタグ６０を覆った状態において、封止部４０（蓋側封止部４２）の切除を規制する規制部８０（円盤部７６、連結部７７，７７）を備え、規制部８０は、ＩＣタグ６０が連結片部（切断部）４５，４６を覆うように封止部４０近傍に貼付された状態において連結片部４５，４６の位置を示すとともに、連結片部４５，４６と共に切断可能とされている。
【００５５】
したがって、封止部４０近傍にＩＣタグ６０が貼付されて連結片部（切断部）４５，４６が目視できない状態となっても、ＩＣタグカバー７０が有している規制部８０を目安にして、連結片部４５，４６の位置を認識することができるため、連結片部４５，４６を探す手間なく、手際よく基板ケース１０の封止を解除できる。また、規制部８０は、連結片部４５，４６とともに切断できるため、ＩＣタグカバー７０がＩＣタグ６０を覆った状態のままで（すなわち、ＩＣタグカバー７０を破壊等せずとも）、規制部８０、ＩＣタグ６０、及び、連結片部４５，４６をまとめて切断することができ、一度の作業で、ＩＣタグ６０を確実に読み取り不能にするとともに基板ケース１０を開放可能にすることができる。
【００５６】
また、第１実施形態の遊技機１では、ＩＣタグカバー７０は、ＩＣタグ６０を覆った状態において、蓋側ケース３０に対して離脱不能に係着されている。
【００５７】
したがって、ＩＣタグカバー７０でＩＣタグ６０を覆った後は、ＩＣタグカバー７０を取り外すことができなくなるため、不正を行おうとする者によって、ＩＣタグ６０を剥がすためにＩＣタグカバー７０が外されることがない。よって、ＩＣタグ６０を破れないように巧妙に剥がして不正が行われるのを防止することができる。また、ＩＣタグカバー７０は、蓋側ケース３０と底側ケース２０とに跨ることなく、蓋側ケース３０のみに係着されているので、ＩＣタグカバー７０が蓋側ケース３０と底側ケース２０との開きを規制してしまうことがない。よって、ＩＣタグ６０をＩＣタグカバー７０で覆ったとしても、基板ケース１０の開放までにかかる作業数が増加しない。
【００５８】
２．第２実施形態
次に、図１１〜図１３に基づいて、第２実施形態の遊技機（パチンコ遊技機）１Ａにおける基板ケース１０Ａについて説明する。上述した第１実施形態のパチンコ遊技機１における基板ケース１０では、２つの連結片部４５，４６により蓋側収納部３８にホルダ部４３が連結され、連結片部４５，４６の後面４５ａ，４６ａに、ＩＣタグ６０のアンテナ部６３が位置するようにＩＣタグ６０を貼付したが、第２実施形態のパチンコ遊技機１Ａにおける基板ケース１０Ａでは、ホルダ部４３Ａが１つの連結片部（切断部に相当する）４５Ａのみによって蓋側ケース３０に連結され、連結片部４５Ａの後面４５ＡａにＩＣタグ６０のチップ部６２が位置するようにＩＣタグ６０が貼付される。なお、第２実施形態のパチンコ遊技機１Ａにおいて、第１実施形態のパチンコ遊技機１と同様の構成については、第１実施形態のパチンコ遊技機１と同様の符号を付して説明を省略する。
【００５９】
第２実施形態のパチンコ遊技機１Ａは、図１１に示すように、基板ケース１０Ａを備え、基板ケース１０Ａは、蓋側ケース３０と底側ケース２０とを開放不能に封止する封止部４０Ａを備えている。封止部４０Ａは、第１実施形態と同様、蓋側封止部４２Ａと底側封止部５２とをロックピン４８（図１３参照）によって締結することにより、基板ケース１０Ａを封止するものである。
【００６０】
蓋側封止部４２Ａは、ホルダ部４３Ａを備え、ホルダ部４３Ａは、蓋側収納部３８Ａの左壁部３８Ａｄに対して、外周面４３Ａｂから連結片部（切断部に相当する）４５Ａを延ばして、蓋側ケース３０に設けられている。
【００６１】
ＩＣタグカバー９０は、第１実施形態と同様、ヒンジ機構９２により、蓋側ケース３０の天井壁部３２に回動可能に取り付けられている。ＩＣタグカバー９０は、後壁部９１、右壁部１０２、および前壁部１０５を備える。後壁部９１は、ホルダ部４３Ａの後面４３Ａａ、連結片部４５Ａの後面４５Ａａ、及び蓋側収納部３８Ａの後面３８Ａｅと前後方向で重なる部位を肉部９４とし、その他の部分を肉抜き部９５としている。肉部９４は、ホルダ部材４３Ａと重なる円盤部９６と、連結片部４５Ａと重なる連結部９７とを備えている。右壁部１０２は、前後方向に沿って伸びて後壁部９１と前壁部１０５とを連結しており、前後方向の長さ寸法は、蓋側収納部３８Ａの右壁部３８Ａｃの前後方向の長さ寸法と略一致する。前壁部１０５は、右壁部１０２の前端から後壁部９１と略平行に対向するように伸び、左端には、前後方向に沿う方向へ伸びる係合片部１０６が設けられている。係合片部１０６は、蓋側収納部３８Ａの右壁部３８Ａｃにおける前面側に設けられた被係合孔部３９Ａに対して、外れ不能に係合する。すなわち、ＩＣタグカバー９０は、蓋側ケース３０に対して所謂嵌め殺しとなるように構成されている。
【００６２】
この基板ケース１０Ａは、第１実施形態の基板ケース１０と同様、封止部４０Ａを利用して、基板ケース１０Ａを封止した後、図１２Ａに示すように、蓋側収納部３８Ａの後面３８Ａｅから天井壁部３２の後面に渡って、ＩＣタグ６０が貼付される。具体的には、ＩＣタグ６０は、チップ部６２を連結片部４５Ａの後面４５Ａａに位置させて、蓋側収納部３８Ａの後面３８Ａｅから天井壁部３２の後面に渡って貼付される。
【００６３】
ＩＣタグ６０を貼付した後、図１２Ｂに示すように、ＩＣタグ６０は、ＩＣタグカバー９０によって、剥がれ不能に覆われる。一旦ＩＣタグカバー９０が閉じられると、図１３に示すように、係合片部１０６が被係合孔部３９Ａに外れ不能に係合する、すなわち、ＩＣタグカバー９０が、蓋側ケース３０に離脱不能に係着される。ＩＣタグカバー９０が閉じられた状態では、ＩＣタグカバー９０の円盤部９６と連結部９７とは、蓋側封止部４２Ａと前後方向で重なるため、蓋側封止部４２Ａが蓋側ケース３０から切除されるのを規制する規制部１００として機能する。また、ＩＣタグカバー９０が閉じられた状態では、ＩＣタグ６０は連結片部４５Ａの後面に貼付されているため、後方から連結片部４５Ａを目視することができないが、ＩＣタグカバー９０の円盤部９６及び連結部９７は、蓋側封止部４２Ａと前後方向で重なっており後方から目視できるため、基板ケース１０を開放しようとする者に対して連結片部４５Ａの位置を認識させる指標部９９として機能する。
【００６４】
そして、このようにして封止部４０Ａにより封止され、ＩＣタグ６０が貼付されて、ＩＣタグカバー９０が閉じられた基板ケース１０Ａは、次のようにして開放される。
【００６５】
すなわち、ＩＣタグカバー９０の肉抜き部９５（図１２Ｂ参照）から、ニッパなどの破断治具を、ＩＣタグ６０を破り抜けて連結片部４５Ａに至るまで挿通させ、連結部９７、ＩＣタグ６０のチップ部６２、連結片部４５Ａを共に切断する（図１３図示二点鎖線参照）。これにより、封止部４０Ａが基板ケース１０Ａから切除されるのを規制している規制部１００（円盤部９６及び連結部９７）と、基板ケース１０Ａを封止している蓋側封止部４２Ａとを、基板ケース１０Ａから同時に切除することができ（図１３図示二点鎖線参照）、基板ケース１０Ａを開放可能にすることができる。さらに、連結部９７および連結片部４５Ａを切断する際に、連結部９７と連結片部４５Ａとに挟まれて位置しているＩＣタグ６０のチップ部６２が、ニッパなどの破断治具により破壊されるため、ＩＣタグ６０は確実に読み取り不能となる。
【００６６】
以上説明したように、第２実施形態の遊技機１Ａでは、封止部４０Ａは、蓋側ケース３０と底側ケース２０との封止を解除する際に切断される切断部（連結片部４５Ａ）を介して基板ケース１０Ａに設けられ、ＩＣタグ６０は、切断部（連結片部４５Ａ）にチップ部６２を位置させて、封止部４０近傍に貼付されている。
【００６７】
したがって、基板ケース１０Ａを開放して不正行為がなされてないか検査する際には、切断部（連結片部４５Ａ）を切断すれば、封止部４０Ａが基板ケース１０Ａから切除可能となるとともに、ＩＣタグ６０のチップ部６２も一緒に破壊されるため、ＩＣタグ６０を確実に読み取り不能として、基板ケース１０Ａを開放可能にすることができる。
【００６８】
３．変更例
以上、本発明の実施形態について説明したが、本発明の実施にあたっては、上記実施形態に限定されるものではなく、特許請求の範囲を逸脱しない限りにおいて種々の構成を採り得る。
【００６９】
例えば、実施形態では、封止部４０は、ホルダ部４３と嵌合部５３とに跨るようにロックピン４８を嵌挿させることにより、基板ケース１０を開放不能に封止する構成としたが、ワンウェイネジなど、他の締結手段により、基板ケース１０を開放不能に封止する構成としてもよい。
【００７０】
また、実施形態では、蓋側封止部４２のみを基板ケース１０から切除すれば、基板ケース１０の封止が解除されるよう構成したため、ＩＣタグ６０を蓋側ケース３０に貼付し、ＩＣタグカバー７０は蓋側ケース３０に対して外れ不能に係着される構成としたが、底側封止部５４を切除すれば基板ケース１０の封止が解除される構成とした場合には、ＩＣタグ６０を底側ケース２０に貼付し、ＩＣタグカバー７０は底側ケース２０に対して外れ不能に係着されるよう構成する。
【００７１】
また、実施形態では、ＩＣタグカバー７０は、蓋側ケース３０に対して回動可能に取り付けられている構成としたが、蓋側ケース３０及び底側ケース２０とは別体のＩＣタグカバー７０を蓋側ケース３０又は底側ケース２０に対して外れ不能に係着させる構成としてもよい。
【００７２】
なお、各実施形態では、遊技機を、パチンコ遊技機１，１Ａとして説明したが、スロットマシンなど他の遊技機により構成してもよい。
【符号の説明】
【００７３】
１，１Ａ…パチンコ遊技機
５…主制御基板
１０，１０Ａ…基板ケース
２０…底側ケース
３０…蓋側ケース
４０，４０Ａ…封止部
４２，４２Ａ…蓋側封止部
４５，４５Ａ…連結片部（切断部）
４６…連結片部（切断部）
６０…ＩＣタグ
６２…チップ部
６３…アンテナ部
６３ａ…アンテナ部の一端側部
６３ｂ…アンテナ部の他端側部
７０，９０…ＩＣタグカバー（カバー部）
８０，１００…規制部
【図１】
0005642998.tif 000002
【図２】
0005642998.tif 000003
【図３】
0005642998.tif 000004
【図４】
0005642998.tif 000005
【図５】
0005642998.tif 000006
【図６】
0005642998.tif 000007
【図７】
0005642998.tif 000008
【図８】
0005642998.tif 000009
【図９】
0005642998.tif 000010
【図１０】
0005642998.tif 000011
【図１１】
0005642998.tif 000012
【図１２】
0005642998.tif 000013
【図１３】
0005642998.tif 000014